(57)【要約】【課題】必要なときにだけ記録媒体判別手段を起動し、煩わしい操作を不要にし、無駄な電力消費を抑える。【解決手段】着脱可能な外部記録媒体であるカードに映像を記録するときに、内蔵メモリ１３にカードに記録した映像を特定するためのシーン情報を記録するとともに、カードを特定するためのカード情報を記録し、内蔵メモリ１３に記録された情報からカードに記録された映像を再生することができる映像記録再生装置であって、カードを特定するためのカード情報を取得するカメラ部１６と、カメラ部１６により取得した情報と内蔵メモリ１３に記録された情報とに基づいて、カードを判別するカード判別手段（画像変換部１０、画像判別部１５）とを備える。カードに記録された映像を再生するときであって、カードが装着されていない場合、カメラ部１６を起動し、カード判別手段を起動する。【選択図】図１
2009206661.tif 000002
【特許請求の範囲】
【請求項１】
着脱可能な外部記録媒体に映像を記録するときに、他の記録媒体に前記外部記録媒体に記録した映像を特定するための情報を記録するとともに、前記外部記録媒体を特定するための情報を記録し、
前記他の記録媒体に記録された情報から前記外部記録媒体に記録された映像を再生することができる映像記録再生装置であって、
外部記録媒体を特定するための情報を取得する取得手段と、
前記取得手段により取得した情報と前記他の記録媒体に記録された情報とに基づいて、外部記録媒体を判別する記録媒体判別手段とを備え、
外部記録媒体に記録された映像を再生するときであって、外部記録媒体が装着されていない場合、前記記録媒体判別手段を起動することを特徴とする映像記録再生装置。
【請求項２】
外部記録媒体に記録された映像を再生するときであって、外部記録媒体が装着されていない場合、前記取得手段を起動することを特徴とする請求項１に記載の映像記録再生装置。
【請求項３】
前記記録媒体判別手段による外部記録媒体の判別が終了した後、前記記録媒体判別手段を停止することを特徴とする請求項１又は２に記載の映像記録再生装置。
【請求項４】
前記記録媒体判別手段を起動するときに通知する通知手段を備えることを特徴とする請求項１〜３のいずれか１項に記載の映像記録再生装置。
【請求項５】
前記記録媒体判別手段を停止するときに通知する通知手段を備えることを特徴とする請求項３に記載の映像記録再生装置。
【請求項６】
前記他の記録媒体は、着脱不能な記録媒体であることを特徴とする請求項１〜５のいずれか１項に記載の映像記録再生装置。
【請求項７】
前記他の記録媒体は、着脱可能な外部記録媒体であることを特徴とする請求項１〜５のいずれか１項に記載の映像記録再生装置。
【請求項８】
着脱可能な外部記録媒体に映像を記録するときに、他の記録媒体に前記外部記録媒体に記録した映像を特定するための情報を記録できないとき、そのことを通知する通知手段を備えたことを特徴とする請求項１〜７のいずれか１項に記載の映像記録再生装置。
【請求項９】
前記外部記録媒体を特定するための情報とは外部記録媒体の外観情報であり、
前記取得手段はカメラ部であることを特徴とする請求項１〜８のいずれか１項に記載の映像記録再生装置。
【請求項１０】
着脱可能な外部記録媒体に映像を記録するときに、他の記録媒体に前記外部記録媒体に記録した映像を特定するための情報を記録するとともに、前記外部記録媒体を特定するための情報を記録し、
前記他の記録媒体に記録された情報から前記外部記録媒体に記録された映像を再生することができる映像記録再生装置の制御方法であって、
前記映像記録再生装置は、外部記録媒体を特定するための情報を取得する取得手段と、前記取得手段により取得した情報と前記他の記録媒体に記録された情報とに基づいて、外部記録媒体を判別する記録媒体判別手段とを備え、
外部記録媒体に記録された映像を再生するときであって、外部記録媒体が装着されていない場合、前記記録媒体判別手段を起動することを特徴とする映像記録再生装置の制御方法。
【請求項１１】
着脱可能な外部記録媒体に映像を記録するときに、他の記録媒体に前記外部記録媒体に記録した映像を特定するための情報を記録するとともに、前記外部記録媒体を特定するための情報を記録し、
前記他の記録媒体に記録された情報から前記外部記録媒体に記録された映像を再生することができる映像記録再生装置を制御するためのプログラムであって、
前記映像記録再生装置は、外部記録媒体を特定するための情報を取得する取得手段と、前記取得手段により取得した情報と前記他の記録媒体に記録された情報とに基づいて、外部記録媒体を判別する記録媒体判別手段とを備え、
外部記録媒体に記録された映像を再生するときであって、外部記録媒体が装着されていない場合、前記記録媒体判別手段を起動する処理をコンピュータに実行させるためのプログラム。
【発明の詳細な説明】
【技術分野】
【０００１】
本発明は、外部記録媒体に記録された映像を再生することができる映像記録再生装置、その制御方法及びプログラムに関する。
【背景技術】
【０００２】
デジタルカメラに代表される映像記録再生装置に使用される記録媒体は、大容量化が進み、一つの記録媒体に対して多くの映像のデータを記録できるようになっている。一方で、記録媒体の低価格化が進んできていることから、映像記録再生装置を持つ一人のユーザが、大容量の記録媒体を複数所有することが容易になってきている。
【０００３】
このような背景の代償として、映像記録再生装置を頻繁に使うユーザになるほど、どの記録媒体に何を記録したのかを探すのが困難になるという問題が生じてくる。
【０００４】
このような状況を鑑みて、特許文献１には、コンテンツが収納された収納媒体を撮影して識別情報を取得し、コンテンツと関連付けることが提案されている。これにより、入力された識別情報を用いて検索して、入力された識別情報と合致する収納媒体の識別情報を検出し、その検出された収納媒体の識別情報と関連付けられて記憶されているコンテンツを再生表示することができる。
【０００５】
【特許文献１】特開２００５−２８４３６７号公報
【発明の開示】
【発明が解決しようとする課題】
【０００６】
特許文献１に開示されているようなコンテンツ表示システムでは、画像判別等を行う判別手段で、入力された識別情報とコンテンツに関連付けられている収納媒体の識別情報とが合致するかどうかを判別する。しかしながら、ユーザが判別手段を立ち上げる等の操作を行わなければならず、煩わしい操作が残ってしまう。また、判別手段を常時起動させた状態にしておくと、使用していない期間にも電力を消費してしまうという問題が発生する。
【０００７】
本発明は上記のような点に鑑みてなされたものであり、必要なときにだけ記録媒体判別手段を起動し、煩わしい操作を不要にし、無駄な電力消費を抑えることを目的とする。
【課題を解決するための手段】
【０００８】
本発明の映像記録再生装置は、着脱可能な外部記録媒体に映像を記録するときに、他の記録媒体に前記外部記録媒体に記録した映像を特定するための情報を記録するとともに、前記外部記録媒体を特定するための情報を記録し、前記他の記録媒体に記録された情報から前記外部記録媒体に記録された映像を再生することができる映像記録再生装置であって、外部記録媒体を特定するための情報を取得する取得手段と、前記取得手段により取得した情報と前記他の記録媒体に記録された情報とに基づいて、外部記録媒体を判別する記録媒体判別手段とを備え、外部記録媒体に記録された映像を再生するときであって、外部記録媒体が装着されていない場合、前記記録媒体判別手段を起動することを特徴とする。
本発明の映像記録再生装置の制御方法は、着脱可能な外部記録媒体に映像を記録するときに、他の記録媒体に前記外部記録媒体に記録した映像を特定するための情報を記録するとともに、前記外部記録媒体を特定するための情報を記録し、前記他の記録媒体に記録された情報から前記外部記録媒体に記録された映像を再生することができる映像記録再生装置の制御方法であって、前記映像記録再生装置は、外部記録媒体を特定するための情報を取得する取得手段と、前記取得手段により取得した情報と前記他の記録媒体に記録された情報とに基づいて、外部記録媒体を判別する記録媒体判別手段とを備え、外部記録媒体に記録された映像を再生するときであって、外部記録媒体が装着されていない場合、前記記録媒体判別手段を起動することを特徴とする。
本発明のプログラムは、着脱可能な外部記録媒体に映像を記録するときに、他の記録媒体に前記外部記録媒体に記録した映像を特定するための情報を記録するとともに、前記外部記録媒体を特定するための情報を記録し、前記他の記録媒体に記録された情報から前記外部記録媒体に記録された映像を再生することができる映像記録再生装置を制御するためのプログラムであって、前記映像記録再生装置は、外部記録媒体を特定するための情報を取得する取得手段と、前記取得手段により取得した情報と前記他の記録媒体に記録された情報とに基づいて、外部記録媒体を判別する記録媒体判別手段とを備え、外部記録媒体に記録された映像を再生するときであって、外部記録媒体が装着されていない場合、前記記録媒体判別手段を起動する処理をコンピュータに実行させる。
【発明の効果】
【０００９】
本発明によれば、外部記録媒体に記録された映像を再生するときであって、外部記録媒体が装着されていない場合、記録媒体判別手段を起動するようにしたので、煩わしい操作が不要で、無駄な電力消費を抑えることができる。
【発明を実施するための最良の形態】
【００１０】
以下、添付図面を参照して、本発明の好適な実施形態について説明する。
（第１の実施形態）
図１は、第１の実施形態に係る映像記録再生装置の構成例を示すブロック図である。本実施形態では、着脱可能な外部記録媒体としてカードの判別を行い、動画再生を行う例について説明する。
【００１１】
図１において、撮像部１は、光学系レンズ、ＣＣＤ等の撮像素子、オートフォーカス機構、ズーム機構等から構成され、カメラ制御部３の指示に従い、被写界に対して焦点や光量等を調整する。そして、レンズを通して結像された被写界の光学像を映像信号に変換し、カメラ信号処理部２に送出する。
【００１２】
カメラ信号処理部２は、カメラ制御部３の指示に従い、撮像部１からの映像信号に所定の信号処理を施して、信号処理部５の記録系信号処理部６に送出する。
【００１３】
操作部１１の一部は、カメラ系に関する各種スイッチ、ダイヤル（ＡＦオン／オフ、ＡＥオート／ロック、プログラムＡＥ、ズーム等）類から構成され、操作者からの指示をシステム制御部１４を介してカメラ制御部３に送出する。
【００１４】
カメラ制御部３は、マイクロコンピュータ等から構成され、システム制御部１４、操作部１１の指示等によりカメラ系全体を制御する。
【００１５】
信号処理部５は、記録系信号処理部６及び再生系信号処理部７を含んで構成され、システム制御部１４の指示により、様々な記録・再生信号処理を行う。記録系信号処理部６は、カメラ信号処理部２から出力された信号に対して、所定の信号処理を施してＶＴＲブロック４に送出する。再生系信号処理部７は、ＶＴＲブロック４から再生された信号に所定の処理を施し、それぞれ画像変換部１０、スピーカ８に送出する。更に、システム制御部１４から送られる文字情報、印刷範囲枠表示情報を映像信号にミックスし、液晶パネル９に送出する。
【００１６】
ＶＴＲブロック４は、メカ部、メカ駆動部、マイクロコンピュータを中心とするメカ・サーボ制御部等から構成され、システム制御部１４の指示に従って、記録・再生動作を行う。
【００１７】
液晶パネル９は、映像を映し出すとともに、文字や記号による本体の各種情報の表示、メニュー設定時のガイド表示、印刷範囲枠表示等を行う。
【００１８】
画像変換部１０は、システム制御部１４の指示により、信号処理部５の再生系信号処理部７からの再生信号を、プリンタが認識できる画像ファイル（例えばＪＰＥＧ画像）に変換し、内蔵メモリ１３やカードＩ／Ｆ１２を介して不図示のカードに記録する。
【００１９】
画像判別部１５は、カメラ部１６更には画像変換部１０で取得したカードの外観情報と内蔵メモリ１３に記録されたカードの外観情報とを解析し、システム制御部１４に照合結果を通知する。
【００２０】
操作部１１の一部は、ＶＴＲ系、及び装置全体に関する各種スイッチ（[↑],[→],[↓],[←],[SET],[END],[PRINT],[MENU],[PLAY],[FF/REW],[STOP],[START/STOP]等）類から構成され、操作者からの指示をシステム制御部１４に送出する。また、操作部１１に含まれる電源スイッチは、本体の電源モード（カメラ／切／ＶＴＲ）を選択するためのものであり、その状態をシステム制御部１４に送出する。
【００２１】
内蔵メモリ１３は、映像記録再生装置に内蔵された着脱不能な記録媒体であり、ハードディスクドライブ、フラッシュメモリ等、映像記録再生装置の種類に応じて様々な形態がある。
【００２２】
カードＩ／Ｆ１２は、外部記録媒体としてカードを使用するための接続部であり、カードＩ／Ｆ１２にカードを装着することによってカードへの映像記録を可能にする。
【００２３】
システム制御部１４は、上述した映像記録再生装置の各種機能を総合的に制御するマイクロコンピュータ等から構成される。
【００２４】
カメラ部１６は、撮像部１、カメラ信号処理部２、カメラ制御部３、信号処理部５（記録系信号処理部６、再生系信号処理部７）から構成されるカメラとしての撮影機能を司る一連の構成を指す。
【００２５】
電源部１７は、カメラ部１６に関わる電源の供給と制御を行う。映像記録再生装置をカメラとして使用する場合は、カメラ部１６の電源を常時供給した状態とする。映像記録再生装置を再生装置として使用する場合は、カメラ部１６の電源を落とした状態とする。ただし、後述するように、映像記録再生装置を再生装置として使用している場合であっても、画像判別部１５等を駆動するときはカメラ部１６の電源を供給する。
【００２６】
図２は、本実施形態において内蔵メモリ１３とカードに映像を記録するときの情報の保管について説明するための図である。映像記録再生装置で映像を記録するときは、記録モードに設定する。
【００２７】
内蔵メモリ１３に映像を記録する場合、本編のデータは内蔵メモリ１３に記録される（図示例では本編Ａ，Ｄ）。このとき、内蔵メモリ１３には本編のデータを特定するためのシーン情報が記録される。シーン情報には、本編のシーンの映像情報、本編のデータが内蔵メモリ１３に記録されていることを区別するための情報、日付や撮影時間等が記録される。
【００２８】
一方、カードに映像を記録する場合、本編のデータはカードに記録される（図示例では本編Ｂ，Ｃ）。このとき、内蔵メモリ１３に記録する場合と同様に内蔵メモリ１３には本編のデータを特定するためのシーン情報（本編のシーンの映像情報、本編のデータがカードに記録されていることを区別するための情報、日付や撮影時間等）が記録され、更にカードを特定するためのカード情報（カードの外観情報）が記録される。すなわち、内蔵メモリ１３が本発明でいう他の記録媒体として機能する。なお、何らかの要因により、カードに映像を記録するときに、内蔵メモリ１３にシーン情報を記録できないときは、そのことを通知するようにしてもよい。
【００２９】
図３は、カード情報の取得動作を表すフローチャートである。映像記録再生装置からカードが取り外されると、映像記録再生装置は液晶パネル９にカードの登録を促す通知を表示する（ステップＳ１０１）。図４は、カードの登録を促す通知画面の一例である。この通知画面で、ユーザはカードの登録を行う場合は「はい」を選択し、登録を行わない場合は「いいえ」を選択する。「いいえ」が選択された場合、映像記録再生装置はカードの登録処理を終了し、「はい」が選択された場合、カード登録モードに入る（ステップＳ１０２）。
【００３０】
カード登録モードに入って、ユーザが撮像部１の前にカードを近づけると（ステップＳ１０３）、映像記録再生装置はカード情報の取得を開始する（ステップＳ１０４）。カード情報の取得が完了すると、カード情報をデータベースとして登録する（ステップＳ１０５）。映像記録再生装置からカードを取り外す前に撮影した映像がある場合には、登録したカード情報を撮影した映像を特定するためのシーン情報とともに記録する（ステップＳ１０６）。
【００３１】
映像記録再生装置で記録映像を再生するときは、再生モードに設定する。図５は、再生モードにおけるシーン選択画面の一例である。このシーン選択画面において、記録されたシーンの本編が内蔵メモリ１３に記録されているのか、カードに記録されているのか等、シーンが持つ情報を明示する表示を行ってもよい。一覧表示されたシーンから再生したいシーンを選択すると、内蔵メモリ１３又はカードに記録された本編が再生される。
【００３２】
図６は、図５のシーン選択画面から再生を行うときの動作を表すフローチャートである。ユーザがシーン選択画面上でシーンを選択すると（ステップＳ２０１）、映像記録再生装置は選択シーンの本編が内蔵メモリ１３に記録されているのか、カードに記録されているのかを判定する（ステップＳ２０２）。
【００３３】
ステップＳ２０２において選択シーンの本編が内蔵メモリ１３に記録されている場合、内蔵メモリ１３に記録された本編を再生する（ステップＳ２０４）。
【００３４】
一方、ステップＳ２０２において選択シーンの本編がカードに記録されている場合、映像記録再生装置にカードが装着されているかどうかにより処理が異なる（ステップＳ２０３）。
【００３５】
ステップＳ２０３においてカードが装着されている場合、映像記録再生装置はカード内のシーン検索を行う（ステップＳ２０５）。そして、カード内に再生対象のシーンがあれば（ステップＳ２０６）、シーンの再生を行う（ステップＳ２１７）。
【００３６】
ステップＳ２０３においてカードが装着されていない場合、及び、ステップＳ２０６においてカード内に再生対象のシーンがない場合、カードの判別処理に進む。再生モードでは通常はカメラ部１６の電源を落とした状態であるため、このタイミングでカメラ部１６を起動する（ステップＳ２０７）。また、カード判別を司る画像変換部１０、画像判別部１５からなるカード判別手段を起動する（ステップＳ２０８）。その後、ユーザが撮像部１の前にカードを近づけると、カード判別手段はそのカードが再生対象のシーンを含むものかどうかを判別する（ステップＳ２０９）。その結果、判別対象のカードが再生対象のシーンを含むカードのカード情報と一致すれば、カメラ部１６を停止し（ステップＳ２１０）、続いてカード判別手段を停止して（ステップＳ２１１）、カードの装着を待つ（ステップＳ２１２）。このとき、図７に示すような通知画面を表示するようにしてもよい。なお、判別対象のカードが再生対象のシーンを含むカードのカード情報と一致しなければ、次のカードの判別を待つ。このとき、図８に示すような通知画面を表示するようにしてもよい。ステップＳ２１２においてカードが装着されると、映像記録再生装置はカード内のシーン検索を行う（ステップＳ２１３）。そして、カード内に再生対象のシーンがあれば（ステップＳ２１４）、シーンの再生を行い（ステップＳ２１６）、再生対象のシーンがなければ（ステップＳ２１４）、再生エラーとして通知する（ステップＳ２１５）。
【００３７】
以上のように、カードに記録された映像を再生するときであって、カードが装着されていない場合、取得手段であるカメラ部１６を起動し、記録媒体判別手段であるカード判別手段を起動する。したがって、ユーザがカード判別手段を立ち上げる等の操作を行う必要がなく、煩わしい操作を不要にすることができる。また、カード判別手段を常時起動させた状態にしないので、無駄な電力消費を抑えることができる。
【００３８】
（第２の実施形態）
図９は、第２の実施形態に係る映像記録再生装置の構成例を示すブロック図である。なお、図１に示した第１の実施形態の映像記録再生装置と同じ構成要素には同一の符号を付し、その説明は省略する。本実施形態では、着脱可能な外部記録媒体としてカードの判別を行い、動画再生を行う例について説明する。
【００３９】
カードＩ／Ｆ-１（１２）は、外部記録媒体としてカードを使用するための接続部であり、カードＩ／Ｆ-１（１２）にカードを装着することによってカードへの映像記録を可能にする。
【００４０】
また、カードＩ／Ｆ-２（１８）は、外部記録媒体としてカードを使用するための接続部であり、カードＩ／Ｆ-２（１８）にカードを装着することによってカードへの映像記録を可能にする。
【００４１】
図１０は、本実施形態においてカードＩ／Ｆ-１（１２）に接続されたカード（以下、カード-１と称する）とカードＩ／Ｆ-２（１８）に接続されたカード（以下、カード-２と称する）に映像を記録するときの情報の保管について説明するための図である。映像記録再生装置で映像を記録するときは、記録モードに設定する。
【００４２】
カード-１に映像を記録する場合、本編のデータはカード-１に記録される（図示例では本編Ａ，Ｄ）。このとき、カード-１には本編のデータを特定するためのシーン情報が記録される。シーン情報には、本編のシーンの映像情報、本編のデータがカード-１に記録されていることを区別するための情報、日付や撮影時間等が記録される。
【００４３】
一方、カード-２に映像を記録する場合、本編のデータはカード-２に記録される（図示例では本編Ｂ，Ｃ）。このとき、カード-１には本編のデータを特定するためのシーン情報（本編のシーンの映像情報、本編のデータがカード-２に記録されていることを区別するための情報、日付や撮影時間等）が記録され、更にカード-２を特定するためのカード情報（カード-２の外観情報）が記録される。すなわち、カード-１が本発明でいう他の記録媒体として機能する。
【００４４】
ここでは、カード-２に本編のデータを記録するときの動作について説明する。なお、カード情報の取得動作については、第１の実施形態で説明した図３に準じるため、ここでは説明を割愛する。
【００４５】
映像記録再生装置で記録映像を再生するときは、再生モードに設定する。図１１は、再生モードにおけるシーン選択画面の一例である。このシーン選択画面において、記録されたシーンの本編がカード-１に記録されているのか、カード-２に記録されているのか等、シーンが持つ情報を明示する表示を行ってもよい。一覧表示されたシーンから再生したいシーンを選択すると、カード-１又はカード-２に記録された本編が再生される。
【００４６】
図１２は、図１１のシーン選択画面から再生を行うときの動作を表すフローチャートである。ユーザがシーン選択画面上でシーンを選択すると（ステップＳ３０１）、映像記録再生装置は選択シーンの本編がカード-１に記録されているのか、カード-２に記録されているのかを判定する（ステップＳ３０２）。
【００４７】
ステップＳ３０２において選択シーンの本編がカード-１に記録されている場合、カード-１に記録された本編を再生する（ステップＳ３０４）。
【００４８】
一方、ステップＳ３０２において選択シーンの本編がカード-２に記録されている場合、映像記録再生装置にカード-２が装着されているかどうかにより処理が異なる（ステップＳ３０３）。
【００４９】
ステップＳ３０３においてカード-２が装着されている場合、映像記録再生装置はカード-２内のシーン検索を行う（ステップＳ３０５）。そして、カード-２内に再生対象のシーンがあれば（ステップＳ３０６）、シーンの再生を行う（ステップＳ３１７）。
【００５０】
ステップＳ３０３においてカード-２が装着されていない場合、及び、ステップＳ３０６においてカード-２内に再生対象のシーンがない場合、カードの判別処理に進む。再生モードでは通常はカメラ部１６の電源を落とした状態であるため、このタイミングでカメラ部１６を起動する（ステップＳ３０７）。また、カード判別を司る画像変換部１０、画像判別部１５からなるカード判別手段を起動する（ステップＳ３０８）。その後、ユーザが撮像部１の前にカードを近づけると、カード判別手段はそのカードが再生対象のシーンを含むものかどうかを判別する（ステップＳ３０９）。その結果、判別対象のカードが再生対象のシーンを含むカード-２のカード情報と一致すれば、カメラ部１６を停止し（ステップＳ３１０）、続いてカード判別手段を停止して（ステップＳ３１１）、カード-２の装着を待つ（ステップＳ３１２）。このとき、図７に示すような通知画面を表示するようにしてもよい。なお、判別対象のカードが再生対象のシーンを含むカード-２のカード情報と一致しなければ、次のカードの判別を待つ。このとき、図８に示すような通知画面を表示するようにしてもよい。ステップＳ３１２においてカード-２が装着されると、映像記録再生装置はカード-２内のシーン検索を行う（ステップＳ３１３）。そして、カード-２内に再生対象のシーンがあれば（ステップＳ３１４）、シーンの再生を行い（ステップＳ３１６）、再生対象のシーンがなければ（ステップＳ３１４）、再生エラーとして通知する（ステップＳ３１５）。
【００５１】
なお、本発明の目的は、上述した実施形態の機能を実現するソフトウェアのプログラムコードを記録した記憶媒体を、システム或いは装置に供給することによっても達成される。この場合、そのシステム或いは装置のコンピュータ（又はＣＰＵやＭＰＵ）が記憶媒体に格納されたプログラムコードを読み出し実行する。
【００５２】
この場合、記憶媒体から読み出されたプログラムコード自体が上述した実施形態の機能を実現することになり、プログラムコード自体及びそのプログラムコードを記憶した記憶媒体は本発明を構成することになる。
【００５３】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００５４】
また、コンピュータが読み出したプログラムコードを実行することにより、上述した実施形態の機能が実現されるだけに限らない。例えば、そのプログラムコードの指示に基づき、コンピュータ上で稼動しているＯＳ（基本システム或いはオペレーティングシステム）等が実際の処理の一部又は全部を行い、その処理によって上述した実施形態の機能が実現されてもよい。
【００５５】
更に、記憶媒体から読み出されたプログラムコードが、コンピュータに挿入された機能拡張ボードやコンピュータに接続された機能拡張ユニットに備わるメモリに書き込まれる形態でもよい。この場合メモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される。
【図面の簡単な説明】
【００５６】
【図１】第１の実施形態に係る映像記録再生装置の構成例を示すブロック図である。
【図２】第１の実施形態において内蔵メモリとカードに映像を記録するときの情報の保管について説明するための図である。
【図３】第１の実施形態においてカード情報の取得動作を表すフローチャートである。
【図４】カードの登録を促す通知画面の一例を示す図である。
【図５】再生モードにおけるシーン選択画面の一例を示す図である。
【図６】第１の実施形態においてシーン選択画面から再生を行うときの動作を表すフローチャートである。
【図７】カードの装着を促す通知画面の一例を示す図である。
【図８】他のカードの判別を促す通知画面の一例を示す図である。
【図９】第２の実施形態に係る映像記録再生装置の構成例を示すブロック図である。
【図１０】第２の実施形態においてカードに映像を記録するときの情報の保管について説明するための図である。
【図１１】再生モードにおけるシーン選択画面の一例を示す図である。
【図１２】第２の実施形態においてシーン選択画面から再生を行うときの動作を表すフローチャートである。
【符号の説明】
【００５７】
１    撮像部
２    カメラ信号処理部
３    カメラ制御部
４    ＶＴＲブロック
５    信号処理部
６    記録系信号処理部
７    再生系信号処理部
８    スピーカ
９    液晶パネル
１０  画像変換部
１１  操作部
１２  カードＩ／Ｆ
１３  内蔵メモリ
１４  システム制御部
１５  画像判別部
１６  カメラ部
１７  電源部
１８  カードＩ／Ｆ
【図１】
2009206661.tif 000003
【図２】
2009206661.tif 000004
【図３】
2009206661.tif 000005
【図４】
2009206661.tif 000006
【図５】
2009206661.tif 000007
【図６】
2009206661.tif 000008
【図７】
2009206661.tif 000009
【図８】
2009206661.tif 000010
【図９】
2009206661.tif 000011
【図１０】
2009206661.tif 000012
【図１１】
2009206661.tif 000013
【図１２】
2009206661.tif 000014